(57)【特許請求の範囲】
【請求項１】
第１の通信システムに対応したメイン通信デバイスと、
前記第１の通信システムより通信速度が速い第２の通信システムに対応し、前記メイン通信デバイスの指示により通信処理を行うサブ通信デバイスであって、外部機器とのインターフェースを有するサブ通信デバイスと、を備える通信端末であって、
前記サブ通信デバイスは、前記外部機器からの接続指示を前記メイン通信デバイスに転送し、
前記メイン通信デバイスは、前記接続指示に基づき、前記サブ通信デバイスに発信指示を行う、通信端末。
【請求項２】
前記メイン通信デバイスは、前記発信指示後、前記サブ通信デバイスが前記外部機器からのデータを前記メイン通信デバイスを経由せず通信できるように、前記サブ通信デバイスに対しデータパスの切替指示を行う、請求項１に記載の通信端末。
【発明の詳細な説明】
【技術分野】
【０００１】
この発明は、複数の通信デバイスを備える通信端末に関し、特に、外部機器と接続して外部機器からの接続指示により通信可能な通信端末に関する。
【背景技術】
【０００２】
近年、通信システムや通信デバイスの多様化に伴い、通信だけでなくユーザインタフェースや表示部とのインターフェースを持ち多種多様な処理ができる通信デバイスや、通信のみしか行わない通信デバイスもリリースされてきた。また、通信システムに関しても、古くはアナログ電話システムから始まり、第３世代や３．９世代までの通信システムがリリースされてきている。
【０００３】
従来から複数の通信デバイスを内蔵した通信端末が知られている（例えば、特許文献１参照）。これらの通信端末においては、通常、どの通信デバイスを用いて通信を行うかの判断や外部機器又は自身のユーザインタフェース及び表示部とのインターフェースを一括して引き受けるメイン通信デバイスと、通信のみを行うサブ通信デバイスとが区別された構成になっている。これは、複数の通信デバイスがそれぞれ判断を行う構成に比べ、通信デバイス間の制御などに係る構成を削減できるためである。
【先行技術文献】
【特許文献】
【０００４】
【特許文献１】特開２００３−１０１４７４号公報
【発明の概要】
【発明が解決しようとする課題】
【０００５】
多種多様な処理が可能であるが通信速度が比較的遅い通信システムを搭載している通信デバイスと、通信のみしか行わないが通信速度の速さに特化した通信システムを搭載している通信デバイスとの２種類の通信デバイスを実装した通信端末を想定する。当該通信端末にユーザインタフェースや表示部を持たせた場合、各機能部を制御するため、多種多様な処理機能を持つ比較的通信速度が遅い通信デバイスをメイン通信デバイスとして使用せざるをえない。この場合、図１０の通り、ＰＣなどの外部機器とのインターフェースも、呼制御コマンド等の処理のため、比較的通信速度が遅いメイン通信デバイスに持たせる必要がある。このため、サブ通信デバイスによる高速通信が可能な場合でも、メイン通信デバイスとサブ通信デバイスとの間の内部インターフェースがボトルネックになって、速度が落ちる場合がある。
【０００６】
内部インターフェースのボトルネックを解消するためには、外部機器とのインターフェースを通信速度の速いサブ通信デバイスに持たせる必要がある。しかし、この場合、サブ通信デバイスはメイン通信デバイスへの接続指示などの呼制御コマンドなどが出せないため、自身の通信システムによる発信は出来るが、メイン通信デバイスへの発信指示を行うことはできない。
【０００７】
したがって、かかる点に鑑みてなされた本発明の目的は、内部での速度を落とさずにデータ通信を行う通信端末を提供することにある。
【課題を解決するための手段】
【０００８】
上述した諸課題を解決すべく、本発明にかかる通信端末は、第１の通信システムに対応したメイン通信デバイスと、前記第１の通信システムより通信速度が速い第２の通信システムに対応し、前記メイン通信デバイスの指示により通信処理を行うサブ通信デバイスであって、外部機器とのインターフェースを有するサブ通信デバイスと、を備える通信端末であって、前記サブ通信デバイスは、前記外部機器からの接続指示を前記メイン通信デバイスに転送し、前記メイン通信デバイスは、前記接続指示に基づき、前記サブ通信デバイスに発信指示を行うものである。
【０００９】
また、前記メイン通信デバイスは、前記発信指示後、前記サブ通信デバイスが前記外部機器からのデータを前記メイン通信デバイスを経由せず通信できるように、前記サブ通信デバイスに対しデータパスの切替指示を行う、ことが好ましい。
【発明の効果】
【００１０】
本発明に係る通信端末によれば、内部での速度を落とさずにデータ通信を行うことが可能となる。
【図面の簡単な説明】
【００１１】
【図１】本発明の一実施形態に係る通信端末の構成を示す図である。
【図２】メイン通信デバイスの接続処理のフローチャートである。
【図３】サブ通信デバイスの接続処理のフローチャートである。
【図４】外部機器からの接続指示によりサブ通信デバイスが発信を行う際の信号の流れを示す図である。
【図５】通信端末内（入力部）からの接続指示によりサブ通信デバイスが発信を行う際の信号の流れを示す図である。
【図６】外部機器からの接続指示によりメイン通信デバイスが発信を行う際の信号の流れを示す図である。
【図７】メイン通信デバイスの切断処理のフローチャートである。
【図８】サブ通信デバイスの切断処理のフローチャートである。
【図９】メイン通信デバイスの切替処理のフローチャートである。
【図１０】従来の通信端末の外部機器との接続を示す図である。
【発明を実施するための形態】
【００１２】
以降、諸図面を参照しながら、本発明の実施態様を詳細に説明する。
【００１３】
図１は、本発明の一実施形態に係る通信端末の構成を示す図である。通信端末１は、第１の通信システムに対応したメイン通信デバイス１０と、第２の通信システムに対応したサブ通信デバイス２０と、表示部３０と、入力部４０とを備え、サブ通信デバイス２０により外部機器５０と接続可能である。メイン通信デバイス１０は、ＲＦ部１１と、制御部１２と、記憶部１３とを備え、サブ通信デバイス２０は、ＲＦ部２１と、制御部２２と、外部ＩＦ２３とを備える。メイン通信デバイス１０及びサブ通信デバイス２０は例えばＳＤＩＯ（通信速度５０Ｍｂｐｓ）などのインターフェースにより接続されている。
【００１４】
メイン通信デバイス１０のＲＦ部１１及びサブ通信デバイス２０のＲＦ部２１は、それぞれ所定の通信システムに対応した無線インターフェースである。本実施形態において、サブ通信デバイス２０のＲＦ部２１は、メイン通信デバイス１０のＲＦ部１１よりも通信速度が速い通信システムに対応する。
【００１５】
メイン通信デバイス１０の制御部１２及びサブ通信デバイス２０の制御部２２は、ＣＰＵやＤＳＰなどの好適なプロセッサにより構成される。本実施形態において、メイン通信デバイス１０の制御部１２は、通信だけではなく、サブ通信デバイス２０、表示部３０、及び入力部４０など通信端末１全体を制御するものである。一方、サブ通信デバイス２０の制御部２２は、呼制御コマンドの判断などの呼制御機能はなく、メイン通信デバイス１０の制御部１２からの指示に従い通信処理（発信、切断など）を実行する。また、サブ通信デバイス２０の制御部２２は、メイン通信デバイス１０の制御部１２からの指示に従い、外部機器５０、メイン通信デバイス１０、及びサブ通信デバイス２０の間のデータパスを切り替える。なお、ここでいうデータパスとは、実装形態に応じて、ハードウェア的（物理的）パス及びソフト的（論理的）パスの双方を含むものである。
【００１６】
メイン通信デバイス１０の記憶部１３は、メモリなどの好適な記憶媒体により構成され、サブ通信デバイス２０のデータパスの状態を記憶している。
【００１７】
サブ通信デバイス２０の外部ＩＦ２３は、外部機器５０と接続して通信可能なインターフェースである。
【００１８】
表示部３０は、液晶ディスプレイなどの表示デバイスである。
【００１９】
入力部４０は、キーボード及びタッチパネルなどユーザからの操作入力を受け付けたり、マイクなどユーザからの音声入力を受け付けたりするインターフェースである。
【００２０】
外部機器５０はＰＣ等の外部デバイスであって、サブ通信デバイス２０の外部ＩＦ２３により通信端末１に接続し、通信端末１の通信機能によりデータ通信を行うものである。
【００２１】
通信端末１の基本動作を説明する。外部機器５０が通信の発信元となる場合、通信端末１のサブ通信デバイス２０は、外部ＩＦ２３経由で取得した接続指示などの呼制御コマンドをメイン通信デバイス１０にそのまま転送（パススルー）する。これは、サブ通信デバイス２０の制御部２２は、呼制御コマンドの判断といった処理に対応していないためである。メイン通信デバイス１０の制御部１２は、外部機器５０からの呼制御コマンドを受信し、受信感度等により通信速度の速いサブ通信デバイス２０で通信可能であると判断した場合、サブ通信デバイス２０に対して発信指示を出す。サブ通信デバイス２０は、メイン通信デバイス１０からの発信指示を受信すると、自身の通信システムによる発信を行う。
【００２２】
ここで、外部機器５０からの呼制御コマンドに続く送信データについても、サブ通信デバイス２０からメイン通信デバイス１０にパススルーし、メイン通信デバイス１０を経由してサブ通信デバイス２０が通信を行うことは可能である。しかし、例えば、メイン通信デバイス１０及びサブ通信デバイス２０間の内部インターフェースの通信速度が、サブ通信デバイス２０（外部ＩＦ２３）と外部機器５０との間のインターフェースの通信速度より遅い場合、内部インターフェースがボトルネックとなってしまう。そのため、メイン通信デバイス１０は、サブ通信デバイス２０に発信指示を行った後、サブ通信デバイス２０が外部機器５０からのデータをメイン通信デバイス１０を経由せず通信できるように、サブ通信デバイス２０に対して「サブ通信デバイス２０と外部機器５０とをデータパスで結ぶ」ためのデータパス切替指示を送信することが好ましい。
【００２３】
これ以降、通信端末１の動作をフローチャートにより詳述する。なお、簡潔のため、メイン通信デバイス１０の各構成部（ＲＦ部１１、制御部１２、記憶部１３）の動作を包括的にメイン通信デバイス１０の動作として表し、サブ通信デバイス２０の各構成部（ＲＦ部２１、制御部２２、外部ＩＦ２３）の動作を包括的にサブ通信デバイス２０の動作として表すものとする。
【００２４】
図２は、メイン通信デバイス１０の接続処理のフローチャートである。メイン通信デバイス１０は、入力部４０又はサブ通信デバイス２０経由の外部機器５０より接続指示がある場合（ステップＳ１０１のＹｅｓ）、受信感度等を基に発信先システム（メイン通信デバイス１０又はサブ通信デバイス２０）を判定する（ステップＳ１０２）。サブ通信デバイス２０で発信できる場合（ステップＳ１０３のＹｅｓ）、メイン通信デバイス１０は、サブ通信デバイス２０に対し発信指示を出す（ステップＳ１０４）。ここで、接続指示が外部機器５０からの場合（ステップＳ１０５のＹｅｓ）、メイン通信デバイス１０は、サブ通信デバイス２０が外部機器５０からのデータをメイン通信デバイス１０を経由せず通信できるように、サブ通信デバイス２０に対して「サブ通信デバイス２０と外部機器５０とをデータパスで結ぶ」ためのデータパス切替指示を送信する（ステップＳ１０７）。接続指示が通信端末内（入力部４０）からの場合（ステップＳ１０５のＮｏ）、メイン通信デバイス１０は、サブ通信デバイス２０がメイン通信デバイス１０経由でデータを通信できるように、サブ通信デバイス２０に対して「サブ通信デバイス２０とメイン通信デバイス１０とをデータパスで結ぶ」ためのデータパス切替指示を送信する（ステップＳ１０６）。ステップＳ１０３において、サブ通信デバイス２０で発信できない場合（ステップＳ１０３のＮｏ）、メイン通信デバイス１０は、自身の通信システムで発信を行う（ステップＳ１０８）。ここで、接続指示が外部機器５０からの場合（ステップＳ１０９のＹｅｓ）、メイン通信デバイス１０は、サブ通信デバイス２０経由で外部機器５０からのデータを通信できるように、サブ通信デバイス２０に対して「外部機器５０とメイン通信デバイス１０とをデータパスで結ぶ」ためのデータパス切替指示を送信する（ステップＳ１１０）。
【００２５】
図３は、サブ通信デバイス２０の接続処理のフローチャートである。サブ通信デバイス２０は、メイン通信デバイス１０から発信指示があると（ステップＳ４０１のＹｅｓ）、自身の通信システムで発信を行う（ステップＳ４０２）。また、メイン通信デバイス１０からデータパス切替指示があった場合（ステップＳ４０３のＹｅｓ）、サブ通信デバイス２０は指示通りにデータパスを切り替える（ステップＳ４０４）。
【００２６】
図４は、外部機器５０からの接続指示によりサブ通信デバイス２０が発信を行う際の信号の流れを示す図である。ステップＳ１０１において外部機器５０からの接続指示があり、サブ通信デバイス２０で発信可能な場合、サブ通信デバイス２０は、メイン通信デバイス１０からの発信指示に従い自身の通信システムで発信を行う（ステップＳ１０４、Ｓ４０２）。また、サブ通信デバイス２０は、外部機器５０からのデータをメイン通信デバイス１０を経由せず通信できるように、メイン通信デバイス１０からの指示通りに「サブ通信デバイス２０と外部機器５０とをデータパスで結ぶ」ようにデータパスを切り替える（ステップＳ１０７、Ｓ４０４）。
【００２７】
図５は、通信端末内（入力部）からの接続指示によりサブ通信デバイス２０が発信を行う際の信号の流れを示す図である。ステップＳ１０１において入力部４０からの接続指示があり、サブ通信デバイス２０で発信可能な場合、サブ通信デバイス２０は、メイン通信デバイス１０からの発信指示に従い自身の通信システムで発信を行う（ステップＳ１０４、Ｓ４０２）。また、サブ通信デバイス２０は、メイン通信デバイス１０経由で入力部４０からのデータを通信できるように、メイン通信デバイス１０からの指示通りに「サブ通信デバイス２０とメイン通信デバイス１０とをデータパスで結ぶ」ようにデータパスを切り替える（ステップＳ１０６、Ｓ４０４）。
【００２８】
図６は、外部機器５０からの接続指示によりメイン通信デバイス１０が発信を行う際の信号の流れを示す図である。ステップＳ１０１において外部機器５０からの接続指示があり、メイン通信デバイス１０で発信する場合、メイン通信デバイス１０は、自身の通信システムで発信を行う（ステップＳ１０８）。また、メイン通信デバイス１０は、サブ通信デバイス２０経由で外部機器５０からのデータを通信できるように、サブ通信デバイス２０に対して「外部機器５０とメイン通信デバイス１０とをデータパスで結ぶ」ためのデータパス切替指示を送信する（ステップＳ１１０）。
【００２９】
図７は、メイン通信デバイス１０の切断処理のフローチャートである。メイン通信デバイス１０は、入力部４０又はサブ通信デバイス２０経由の外部機器５０より切断指示がある場合（ステップＳ２０１のＹｅｓ）、サブ通信デバイス２０で通信中かどうか判定する（ステップＳ２０２）。サブ通信デバイス２０で通信中の場合（ステップＳ２０２のＹｅｓ）、メイン通信デバイス１０は、サブ通信デバイス２０に切断指示を送信する（ステップＳ２０３）。サブ通信デバイス２０ではなくメイン通信デバイス１０で通信中の場合（ステップＳ２０２のＮｏ）、メイン通信デバイス１０は、自身の通信デバイスの切断を行う（ステップＳ２０４）。
【００３０】
図８は、サブ通信デバイス２０の切断処理のフローチャートである。サブ通信デバイス２０は、メイン通信デバイス１０から切断指示があると（ステップＳ５０１のＹｅｓ）、自身の通信システムの切断を行う（ステップＳ５０２）。また、メイン通信デバイス１０からデータパス切替指示があった場合（ステップＳ５０３のＹｅｓ）、サブ通信デバイス２０は指示通りにデータパスを切り替える（ステップＳ５０４）。
【００３１】
図９は、メイン通信デバイス１０の切替処理のフローチャートである。なお、ステップＳ３０１〜Ｓ３１２に示す切替処理は、通信中、常に行われるものである。メイン通信デバイス１０は、受信感度等を基に通信先システムを切り替えるかどうかを判定する（ステップＳ３０１）。切替が必要であり（ステップＳ３０２のＹｅｓ）、サブ通信デバイス２０で通信中の場合（ステップＳ３０３のＹｅｓ）、メイン通信デバイス１０は、サブ通信デバイス２０に対し切断指示を出し（ステップＳ３０４）、自身の通信システムで発信を行う（ステップＳ３０５）。ここで、発信元が外部機器５０である場合（ステップＳ３０６のＹｅｓ）、メイン通信デバイス１０は、サブ通信デバイス２０経由で外部機器５０からのデータを通信できるように、サブ通信デバイス２０に対して「外部機器５０とメイン通信デバイス１０とをデータパスで結ぶ」ためのデータパス切替指示を送信する（ステップＳ３０７）。ステップＳ３０２において切替が必要であり、サブ通信デバイス２０ではなくメイン通信デバイス１０で通信中の場合（ステップＳ３０３のＮｏ）、メイン通信デバイス１０は、自身の通信システムを切断し（ステップＳ３０８）、サブ通信デバイス２０に対し発信指示を出す（ステップＳ３０９）。ここで、発信元が外部機器５０である場合（ステップＳ３１０のＹｅｓ）、メイン通信デバイス１０は、サブ通信デバイス２０が外部機器５０からのデータをメイン通信デバイス１０を経由せず通信できるように、サブ通信デバイス２０に対して「サブ通信デバイス２０と外部機器５０とをデータパスで結ぶ」ためのデータパス切替指示を送信する（ステップＳ３１１）。接続指示が通信端末内（入力部４０）である場合（ステップＳ３１０のＮｏ）、メイン通信デバイス１０は、サブ通信デバイス２０がメイン通信デバイス１０経由で入力部４０からのデータを通信できるように、サブ通信デバイス２０に対して「サブ通信デバイス２０とメイン通信デバイス１０とをデータパスで結ぶ」ためのデータパス切替指示を送信する（ステップＳ３１２）。
【００３２】
このように、本実施形態によれば、サブ通信デバイス２０は、外部機器５０からの接続指示をメイン通信デバイス１０に転送し、メイン通信デバイス１０は、接続指示に基づき、サブ通信デバイス２０に発信指示を行う。これにより、外部機器５０とのインターフェースを呼制御機能のないサブ通信デバイス２０に持たせつつ、外部機器５０からの接続指示に基づきサブ通信デバイス２０による発信を行うことが可能となる。
【００３３】
また、メイン通信デバイス１０は、発信指示後、サブ通信デバイス２０が外部機器５０からのデータをメイン通信デバイス１０を経由せず通信できるように、サブ通信デバイス２０に対しデータパスの切替指示を行う。これにより、サブ通信デバイス２０が外部機器５０からのデータを直接通信することが可能になり、サブ通信デバイス２０及びメイン通信デバイス１０間の内部インターフェースがボトルネックになることを防止できる。
【００３４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。
【符号の説明】
【００３５】
１  通信端末
１０  メイン通信デバイス
２０  サブ通信デバイス
１１、２１  ＲＦ部
１２、２２  制御部
１３  記憶部
２３  外部ＩＦ
３０  表示部
４０  入力部
５０  外部機器
【図１】
0006043764.tif 000002
【図２】
0006043764.tif 000003
【図３】
0006043764.tif 000004
【図４】
0006043764.tif 000005
【図５】
0006043764.tif 000006
【図６】
0006043764.tif 000007
【図７】
0006043764.tif 000008
【図８】
0006043764.tif 000009
【図９】
0006043764.tif 000010
【図１０】
0006043764.tif 000011